【手続補正書】
【提出日】平成18年4月25日(2006.4.25)
【手続補正１】
【補正対象書類名】明細書
【補正対象項目名】請求項１
【補正方法】変更
【補正の内容】
【請求項１】  （Ａ）分子中に２個以上のＲ1（式中、Ｒ1は、アルケニル基を表す）を含有し、２３℃における粘度が、１．０〜５００Pa・sである直鎖状ポリオルガノシロキサン  １００重量部；
（Ｂ）ＳｉＯ4/2単位とＲ3ＳｉＯ1/2単位、および場合によってはさらにＲ2ＳｉＯ単位
（式中、ＲはＲ1またはＲ2であり、うちＲ1は、前述のとおりであり、Ｒ2は、脂肪族不飽和炭素−炭素結合を有しない非置換または置換の１価の炭化水素基を表す）
からなり、Ｒ中、１分子あたり少なくとも３個がＲ1である分岐状ポリオルガノシロキサン  ５〜１００重量部；
（Ｃ）ケイ素原子に結合した水素原子を、分子中に３個以上有するポリオルガノハイドロジェンシロキサン  （Ａ）および（Ｂ）に存在するアルケニル基１個に対するケイ素原子に結合した水素原子の数が、０．２〜１．５になる量；
（Ｄ）白金族金属化合物  白金系金属原子を、（Ａ）と（Ｂ）の合計量に対して０．１〜１，０００重量ppm含有する量；ならびに
（Ｅ）下記（Ｅ１）〜（Ｅ３）：
（Ｅ１）  ケイ素原子に結合した水素原子と、ケイ素原子に結合した下記式（Ｉ）：
【化１】
2004323764.tif 000001
で示される側鎖とを有する有機ケイ素化合物、
（Ｅ２）  Ｓｉ（ＯＲ3）n基とエポキシ基含有基を有する有機ケイ素化合物、
（Ｅ３）  Ｓｉ（ＯＲ3）n基と脂肪族不飽和炭化水素基を有するシラン化合物
（上記各式中、Ｑ1は、ケイ素原子とエステル結合の間に２個以上の炭素原子を有する炭素鎖を形成する、直鎖状または分岐状のアルキレン基を表し；Ｑ2は、酸素原子と側鎖のケイ素原子の間に３個以上の炭素原子を有する炭素鎖を形成する、直鎖状または分岐状のアルキレン基を表し；Ｒ3は、炭素数１〜４のアルキル基または２−メトキシエチル基を表し；ｎは、１〜３の整数である）
の有機ケイ素化合物の少なくとも２種  合計１〜２０重量部
を含み、数平均重合度が２５０以下のアルケニル基含有直鎖状ポリオルガノシロキサンを、１０重量部以上含まない接着性ポリオルガノシロキサン組成物。
【手続補正２】
【補正対象書類名】明細書
【補正対象項目名】請求項２
【補正方法】変更
【補正の内容】
【請求項２】  （Ａ）の２３℃における粘度が、３．０〜３００Pa・sである、請求項１記載の接着性ポリオルガノシロキサン組成物。
【手続補正３】
【補正対象書類名】明細書
【補正対象項目名】００１５
【補正方法】変更
【補正の内容】
【００１５】
すなわち、本発明は、
（Ａ）分子中に２個以上のＲ1（式中、Ｒ1は、アルケニル基を表す）を含有し、２３℃における粘度が、１．０〜５００Pa・sである直鎖状ポリオルガノシロキサン  １００重量部；
（Ｂ）ＳｉＯ4/2単位とＲ3ＳｉＯ1/2単位、および場合によってはさらにＲ2ＳｉＯ単位
（式中、ＲはＲ1またはＲ2であり、うちＲ1は、前述のとおりであり、Ｒ2は、脂肪族不飽和炭素−炭素結合を有しない非置換または置換の１価の炭化水素基を表す）
からなり、Ｒ中、１分子あたり少なくとも３個がＲ1である分岐状ポリオルガノシロキサン  ５〜１００重量部；
（Ｃ）ケイ素原子に結合した水素原子を、分子中に３個以上有するポリオルガノハイドロジェンシロキサン  （Ａ）および（Ｂ）に存在するアルケニル基１個に対するケイ素原子に結合した水素原子の数が、０．２〜１．５になる量；
（Ｄ）白金族金属化合物  白金族金属原子を、（Ａ）と（Ｂ）の合計量に対して０．１〜１，０００重量ppm含有する量；ならびに
（Ｅ）下記（Ｅ１）〜（Ｅ３）：
（Ｅ１）  ケイ素原子に結合した水素原子と、ケイ素原子に結合した下記式（Ｉ）：
【手続補正４】
【補正対象書類名】明細書
【補正対象項目名】００１７
【補正方法】変更
【補正の内容】
【００１７】
で示される側鎖とを有する有機ケイ素化合物、
（Ｅ２）  Ｓｉ（ＯＲ3）n基とエポキシ基含有基を有する有機ケイ素化合物、
（Ｅ３）  Ｓｉ（ＯＲ3）n基と脂肪族不飽和炭化水素基を有するシラン化合物
（上記各式中、Ｑ1は、ケイ素原子とエステル結合の間に２個以上の炭素原子を有する炭素鎖を形成する、直鎖状または分岐状のアルキレン基を表し；Ｑ2は、酸素原子と側鎖のケイ素原子の間に３個以上の炭素原子を有する炭素鎖を形成する、直鎖状または分岐状のアルキレン基を表し；Ｒ3は、炭素数１〜４のアルキル基または２−メトキシエチル基を表し；ｎは、１〜３の整数である）
の有機ケイ素化合物の少なくとも２種  合計１〜２０重量部
を含み、数平均重合度が２５０以下のアルケニル基含有直鎖状ポリオルガノシロキサンを、１０重量部以上含まない接着性ポリオルガノシロキサン組成物に関する。
【手続補正５】
【補正対象書類名】明細書
【補正対象項目名】００１８
【補正方法】変更
【補正の内容】
【００１８】
【発明の実施の形態】
本発明で用いられる（Ａ）成分の直鎖状ポリオルガノシロキサンは、本発明の接着性ポリオルガノシロキサン組成物において、ベースポリマーとなる成分である。この（Ａ）成分は、ケイ素原子に結合したアルケニル基を１分子中に２個以上有し、（Ｃ）成分のＳｉ−Ｈ結合との付加反応により、網状構造を形成することができるものであれば、どのようなものであってもよいが、代表的には、一般式（II）：
（Ｒ1）a（Ｒ2）bＳｉＯ(4-a-b)/2          （II）
（式中、
Ｒ1は、アルケニル基を表し；
Ｒ2は、脂肪族不飽和炭素−炭素結合を有しない、非置換または置換の１価の炭化水素基を表し；
ａは、１または２であり；
ｂは０〜２の整数であり、ただし、ａ＋ｂは２または３である）
で示されるアルケニル基含有シロキサン単位を、分子中に少なくとも２個有するアルケニル基含有ポリオルガノシロキサンである。
【手続補正６】
【補正対象書類名】明細書
【補正対象項目名】００３０
【補正方法】変更
【補正の内容】
【００３０】
（Ｃ）成分の配合量は、充分な接着力が得られ、また硬化して得られるシリコーンゴムが優れた機械的性質を有することから、（Ａ）成分および（Ｂ）成分中のＲ1基に対する（Ｃ）成分中のケイ素原子に結合した水素原子の比（Ｈ／Ｖｉ）が、０．２〜１．５、好ましくは０．５〜１．３となるような量である。Ｈ／Ｖｉが０．２未満では、優れた機械的強度を有するゴム状弾性体が得られず、１．５を越えると、室温における充分な接着性が得られない。
【手続補正７】
【補正対象書類名】明細書
【補正対象項目名】００４８
【補正方法】変更
【補正の内容】
【００４８】
このような（Ｅ３）としては、ビニルトリメトキシシラン、ビニルトリエトキシシラン、ビニルトリス（２−メトキシエトキシ）シラン、メチルビニルジメトキシシラン、アリルトリメトキシシラン、アリルトリエトキシシラン、メチルアリルジメトキシシランのようなアルケニルアルコキシシラン類；３−アクリロキシプロピルトリメトキシシラン、３−アクリロキシプロピルトリエトキシシラン、３−アクリロキシプロピル（メチル）ジメトキシシラン、３−メタクリロキシプロピルトリメトキシシラン、３−メタクリロキシプロピルトリエトキシシラン、３−メタクリロキシプロピル（メチル）ジメトキシシランのような（メタ）アクリロキシプロピルジ−またはトリ−アルコキシシラン類などが例示され、１種を単独で用いても、２種以上を併用しても差支えない。